(57)【要約】【課題】提供した情報が継続的に利用されるデータ処理装置、データ処理システム、端末装置、データ処理方法、及びデータ処理プログラムを提供する。【解決手段】状態情報取得部は身体の状態を示す状態情報を取得し、情報検索部はコンテンツに関するテキスト情報を記憶するコンテンツ情報記憶部から、前記状態情報に関する情報を検索し、出力部は前記情報検索部が検索した情報を出力する。【選択図】図３
2015197840.tif 000002
【特許請求の範囲】
【請求項１】
身体の状態を示す状態情報を取得する状態情報取得部と、
コンテンツに関する情報を記憶するコンテンツ情報記憶部から、前記状態情報に関する情報を検索する情報検索部と、
前記情報検索部が検索した情報を出力する出力部と、
を備えるデータ処理装置。
【請求項２】
身体の状態を示す状態情報に関するキーワードを含むキーワードデータを記憶するキーワード記憶部と、
前記状態情報取得部が取得した状態情報に対応するキーワードを、前記キーワードデータより決定するキーワード決定部と、を備え、
前記情報検索部は、前記キーワード決定部が決定したキーワードに基づいて、前記コンテンツ情報記憶部から、前記状態情報に関する情報を検索する、請求項１に記載のデータ処理装置。
【請求項３】
前記コンテンツに関する情報は、放送番組に関する情報である、請求項１又は請求項２に記載のデータ処理装置。
【請求項４】
前記出力部が出力する情報は、前記放送番組に関する情報の一部である、
請求項３に記載のデータ処理装置。
【請求項５】
前記状態情報取得部は、第１の身体の状態を示す第１状態情報と、第２の身体の状態を示す第２状態情報とを取得し、
前記情報検索部は、前記第１状態情報に関する情報と第２状態情報に関する情報とを検索する、
請求項１に記載のデータ処理装置。
【請求項６】
前記状態情報取得部は、前記状態情報の目標値を取得し、
前記状態情報取得部が取得した状態情報と当該状態情報の目標値との関係を解析する状態解析部を備え、
前記情報検索部は、前記状態解析部が解析した状態情報と当該状態情報の目標値との関係に対応する情報を検索する、請求項１又は請求項５に記載のデータ処理装置。
【請求項７】
身体の状態を示す状態情報を入力する端末装置とデータ処理装置とを備えるデータ処理システムであって、
前記データ処理装置は、
前記端末装置が送信した状態情報を取得する状態情報取得部と、
コンテンツに関する情報を記憶するコンテンツ情報記憶部から、前記状態情報に関する情報を検索する情報検索部と、
前記情報検索部が検索した情報を出力する出力部と、
を備えるデータ処理システム。
【請求項８】
身体の状態を示す状態情報を入力する状態情報入力部と、
前記状態情報を送信し、かつ、前記状態情報に関する情報を受信する通信部と、
前記通信部が受信した情報を出力する情報出力部と、
を備える端末装置。
【請求項９】
前記状態情報の少なくとも一部を計測する状態情報計測部を備える請求項８に記載の端末装置。
【請求項１０】
データ処理装置におけるデータ処理方法において
身体の状態を示す状態情報を取得する状態情報取得過程と、
コンテンツに関する情報を記憶するコンテンツ情報記憶部から、前記状態情報に関する情報を検索する情報検索過程と、
前記情報検索過程で検索した情報を出力する出力過程と、
を有するデータ処理方法。
【請求項１１】
データ処理装置のコンピュータに、
身体の状態を示す状態情報を取得する状態情報取得手順、
コンテンツに関する情報を記憶するコンテンツ情報記憶部から、前記状態情報に関する情報を検索する情報検索手順、
前記情報検索手順で検索した情報を出力する出力手順、
を実行させるためのデータ処理プログラム。
【請求項１２】
端末装置のコンピュータに、
身体の状態を示す状態情報を入力する状態情報入力手順、
前記状態情報を送信し、前記状態情報に関する情報を受信する通信手順、
前記通信手順で受信した情報を出力する情報出力手順、
を実行させるためのデータ処理プログラム。
【発明の詳細な説明】
【技術分野】
【０００１】
本発明は、データ処理装置、データ処理システム、端末装置、データ処理方法、及びデータ処理プログラム、特に健康管理の分野で用いられるデータ処理装置、データ処理システム、端末装置、データ処理方法、及びデータ処理プログラムに関する。
【背景技術】
【０００２】
従来から、各種の計測装置とサーバ装置を用いてユーザの状況に応じたアドバイスを提示する健康管理システムが提案されている。計測装置として、腕時計型歩数計等の高機能なウェアラブル運動計測装置が用いられることがある。計測装置で計測されるデータには、歩数、移動距離、睡眠時間等がある。また、摂取した食事の内容や量など、計測装置で測定できないデータを、ユーザの操作により入力できる端末装置が用いられることがある。サーバ装置は、計測データと入力データとに基づいて、アセスメント結果やアドバイスを生成し、生成したアセスメント結果やアドバイスをユーザ端末に提示する。アセスメント結果には、「カロリーオーバー」、「運動不足」、「設定目標値達成」、等、健康管理に役立つ評価がある。アドバイスには、「睡眠が３時間不足しています」、「たんぱく質をあと４０ｇ摂取して下さい」、等、データの値に応じたアドバイスがある。
【先行技術文献】
【特許文献】
【０００３】
【特許文献１】特開２００６−１０６９５２号公報
【発明の概要】
【発明が解決しようとする課題】
【０００４】
しかしながら、従来の健康管理システムでは、定量的なアドバイスが得られるに過ぎない。そのため、得られるアドバイスが単調になりがちである。例えば、所定の目標を達成するための手段が得られないことや、同じ計測データや入力データに対して常に同じ手段しか得られないことがある。また、得られるアドバイスが単調であるために、当該システムが継続して利用されないことがある。当該システムの利用を促すために、賞品、ポイント等、目標を達成したユーザに報酬を与えるサービスや、特定ユーザ間でのデータの共有等、ユーザ間で競争を促すサービスの提供機能が導入されることがある。その場合でも、単調がゆえにユーザがサービスに飽きてしまいシステムが利用されなくなることや、本来のアドバイスが利用されなくなることがある。このため、健康アドバイスを行うサービス会社のサービスが継続的に利用されなくなり、ひいては、そのようなサービスを提供するサービス会社が安定した収益を得られなくなることがある。
【０００５】
本発明は上記の点に鑑みてなされたものであり、提供した情報が継続的に利用されるデータ処理装置、データ処理システム、端末装置、データ処理方法、及びデータ処理プログラムを提供する。
【課題を解決するための手段】
【０００６】
（１）本発明は上記の課題を解決するためになされたものであり、本発明の一態様は、身体の状態を示す状態情報を取得する状態情報取得部と、コンテンツに関する情報を記憶するコンテンツ情報記憶部から、前記状態情報に関する情報を検索する情報検索部と、前記情報検索部が検索した情報を出力する出力部と、を備えるデータ処理装置である。
【０００７】
（２）本発明の他の態様は、（１）のデータ処理装置であって、身体の状態を示す状態情報に関するキーワードを含むキーワードデータを記憶するキーワード記憶部と、前記状態情報取得部が取得した状態情報に対応するキーワードを、前記キーワードデータより決定するキーワード決定部と、を備え、前記情報検索部は、前記キーワード決定部が決定したキーワードに基づいて、前記コンテンツ情報記憶部から、前記状態情報に関する情報を検索する。
【０００８】
（３）本発明の他の態様は、（１）又は（２）のデータ処理装置であって、前記コンテンツに関する情報は、放送番組に関する情報である。
【０００９】
（４）本発明の他の態様は、（３）のデータ処理装置であって、前記出力部が出力する情報は、前記放送番組に関する情報の一部である。
【００１０】
（５）本発明の他の態様は、（１）のデータ処理装置であって、前記状態情報取得部は、第１の身体の状態を示す第１状態情報と、第２の身体の状態を示す第２状態情報とを取得し、前記情報検索部は、前記第１状態情報に関する情報と前記第２状態情報に関する情報とを検索する。
【００１１】
（６）本発明の他の態様は、（１）又は（５）のデータ処理装置であって、前記状態情報取得部は、前記状態情報の目標値を取得し、前記状態情報取得部が取得した状態情報と当該状態情報の目標値との関係を解析する状態解析部を備え、前記情報検索部は、前記状態解析部が解析した状態情報と当該状態情報の目標値との関係に対応する情報を検索する。
【００１２】
（７）本発明の他の態様は、身体の状態を示す状態情報を入力する端末装置とデータ処理装置とを備えるデータ処理システムであって、前記データ処理装置は、前記端末装置が送信した状態情報を取得する状態情報取得部と、コンテンツに関する情報を記憶するコンテンツ情報記憶部から、前記状態情報に関する情報を検索する情報検索部と、前記情報検索部が検索した情報を出力する出力部と、を備えるデータ処理システムである。
【００１３】
（８）本発明の他の態様は、身体の状態を示す状態情報を入力する状態情報入力部と、前記状態情報を送信し、かつ、前記状態情報に関する情報を受信する通信部と、前記通信部が受信したテキスト情報を出力する情報出力部と、を備える端末装置である。
【００１４】
（９）本発明の他の態様は、（８）の端末装置であって、前記状態情報の少なくとも一部を計測する状態情報計測部を備える。
【００１５】
（１０）本発明の他の態様は、データ処理装置におけるデータ処理方法において
身体の状態を示す状態情報を取得する状態情報取得過程と、コンテンツに関する情報を記憶するコンテンツ情報記憶部から、前記状態情報に関する情報を検索する情報検索過程と、前記情報検索過程で検索した情報を出力する出力過程と、を有するデータ処理方法である。
【００１６】
（１１）本発明の他の態様は、データ処理装置のコンピュータに、身体の状態を示す状態情報を取得する状態情報取得手順、コンテンツに関する情報を記憶するコンテンツ情報記憶部から、前記状態情報に関する情報を検索する情報検索手順、前記情報検索手順で検索した情報を出力する出力手順と、を実行させるためのデータ処理プログラムである。
【００１７】
（１２）本発明の他の態様は、端末装置のコンピュータに、身体の状態を示す状態情報を入力する状態情報入力手順、前記状態情報を送信し、前記状態情報に関する情報を受信する通信手順、前記通信手順で受信した情報を出力する情報出力手順、を実行させるためのデータ処理プログラムである。
【発明の効果】
【００１８】
本発明によれば、提供した情報が継続的に利用される。
【図面の簡単な説明】
【００１９】
【図１】本発明の第１の実施形態に係るデータ処理システムの概要を示す概念図である。
【図２】本実施形態に係るデータ処理システムの構成を示すブロック図である。
【図３】本実施形態に係るデータ処理装置の構成を示すブロック図である。
【図４】ユーザ登録データの一例を示す図である。
【図５】入力データの例を示す図である。
【図６】計測データの例を示す図である。
【図７】キーワードデータの一例を示す図である。
【図８】視聴データの一例を示す図である。
【図９】番組情報の一例を示す図である。
【図１０】本実施形態に係るデータ処理の一例を示すフローチャートである。
【図１１】本実施形態に係る端末装置の構成を示すブロック図である。
【図１２】本実施形態に係る表示部の表示例を示す図である。
【図１３】アドバイス表示画像の他の例を示す図である。
【図１４】本発明の第２の実施形態に係るデータ処理装置の構成を示すブロック図である。
【図１５】本実施形態に係るキーワードデータの一例を示す。
【図１６】本実施形態に係るデータ処理の一例を示すフローチャートである。
【図１７】本発明の第３の実施形態に係るデータ処理装置の構成を示すブロック図である。
【図１８】本実施形態に係る目標データの一例を示す。
【図１９】本実施形態に係るキーワードデータの例を示す図である。
【図２０】本実施形態に係るデータ処理の一例を示すフローチャートである。
【発明を実施するための形態】
【００２０】
（第１の実施形態）
以下、図面を参照しながら本発明の第１の実施形態について説明する。
図１は、本実施形態に係るデータ処理システム１の概要を示す概念図である。
データ処理システム１において、端末装置２１はユーザの身体の状態を示すユーザデータを取得し、取得したユーザデータをデータ処理装置１１に送信する。ユーザデータには、ユーザの操作により入力される入力データと、計測装置２２から受信した計測データがある。
【００２１】
データ処理装置１１は、端末装置２１から受信したユーザデータを分析し、受信したデータに対応した検索用のキーワードを定める。ユーザデータに体重、歩数、睡眠の計測値が含まれている場合、キーワードは、例えば、体重、歩数、睡眠、などである。データ処理装置１１は、番組情報データベースサーバ１３に記憶された番組情報から、定めたキーワードを含むテキスト情報を検索し、検索したテキスト情報を端末装置２１に送信する。検索されたテキスト情報には、健康を維持、増進するためのアドバイス、例えば、「“ＯＭＥＺＡ”という睡眠グッズが人気上々です」といった情報が提供される。端末装置２１は、データ処理装置１１から受信したテキスト情報を表示する。
【００２２】
（データ処理システムの構成）
次に、本実施形態に係るデータ処理システム１の構成について説明する。
図２は、本実施形態に係るデータ処理システム１の構成を示すブロック図である。
データ処理システム１は、データ処理装置１１、ユーザデータベースサーバ１２、番組情報データベースサーバ１３、視聴ログデータベースサーバ１４、端末装置２１、計測装置２２、及び受信装置２３を含んで構成される。データ処理装置１１、ユーザデータベースサーバ１２、番組情報データベースサーバ１３、視聴ログデータベースサーバ１４、端末装置２１、及び受信装置２３は、ネットワーク４１を介して相互にデータを送信及び受信することができる。また、端末装置２１と計測装置２２との間では、直接データを送信及び受信することができる。
図示の例では、簡単のため端末装置２１、計測装置２２、及び受信装置２３の個数が各１個である。端末装置２１、計測装置２２、及び受信装置２３の個数は、各１個に限られず、１個よりも多くてもよい。
【００２３】
データ処理装置１１は、ユーザデータベースサーバ１２から身体の状態を示すユーザデータとユーザ登録データを対応付けて受信する。データ処理装置１１は、自装置が記憶するキーワードデータを参照して、受信したユーザデータに対応するキーワードを定める。データ処理装置１１は、定めたキーワードに基づいて番組情報データベースサーバ１３に記憶された番組情報を検索する。データ処理装置１１は、検索した番組情報から、視聴ログデータベースサーバ１４に記憶された視聴ログを参照して、所定のユーザの所在地で放送された番組に係る番組情報を選択する。データ処理装置１１は、選択した番組情報に含まれるテキスト情報を端末装置２１に送信する。送信先の端末装置２１は、その機器識別情報、又は端末装置２１から受信したユーザ登録データで指定される。
【００２４】
ユーザデータベースサーバ１２は、端末装置２１からユーザデータを受信し、受信したユーザデータを記憶するサーバ装置である。ユーザデータベースサーバ１２には、予めユーザ登録データが記憶されている。ユーザ登録データには、個々のユーザを識別するユーザ識別情報（ユーザＩＤ）と端末装置２１を識別する機器識別情報（機器ＩＤ）が含まれる。ユーザデータベースサーバ１２は、受信したユーザデータに付加された機器識別情報と同一の機器識別情報を含むユーザ登録データを特定し、受信したユーザデータと特定したユーザ登録データとを対応付けて記憶する。ユーザデータベースサーバ１２は、新たに記憶したユーザデータとユーザ登録データとを所定の時間間隔（例えば、１日）でデータ処理装置１１に送信する。ユーザデータ、ユーザ登録データの例については後述する。
【００２５】
番組情報データベースサーバ１３は、テレビジョン番組の番組情報が記憶されているサーバ装置である。番組情報には、番組名と、１つの放送番組を細分化した区分であるコーナ（セグメント、Ｓｅｇｍｅｎｔ）毎の説明文を表すテキスト情報が含まれている。番組情報データベースサーバ１３は、データ処理装置１１から検索要求情報を受信する。番組情報データベースサーバ１３は、記憶された番組情報から、受信した検索要求情報が示す検索キーワードを含んだコーナのテキスト情報を特定する。番組情報データベースサーバ１３は、特定したコーナのテキスト情報をデータ処理装置１１に送信する。なお、番組情報データベースサーバ１３は、番組を視聴した事業者が、番組がいかなる内容を示すものかを確認し、その内容をテキストで生成したデータである。番組情報データベースサーバ１３は、事業者が所持する機器（図示せず）から番組情報を受信してもよい。番組情報の例については、後述する。
以下の説明では、放送番組がテレビジョン番組である場合を例にとるが、ラジオ番組やインターネット等、通信伝送路を経由した放送でもよい。通信伝送路を経由した放送とは、ＩＰ（Ｉｎｔｅｒｎｅｔ  Ｐｒｏｔｏｃｏｌ、インターネットプロトコル）を利用した地上波番組の再送信のことを指すだけでなく、放送を模して通信伝送路を経由したコンテンツの配信であれば、よい。
【００２６】
視聴ログデータベースサーバ１４は、受信装置２３から視聴データを受信し、受信した視聴データを視聴ログとして累積して記憶するサーバ装置である。視聴データには、受信装置２３で放送番組を受信して表示または録画した時間を示すデータ取得時間情報、受信した放送番組を示す視聴番組情報、その受信装置２３が設置される位置が属する地域を示す地域情報が含まれる。
視聴ログデータベースサーバ１４は、自装置に記憶された視聴番組情報から、データ処理装置１１から受信した番組特定情報が示す地域を特定し、その地域で放送された放送番組を示す視聴番組情報を選択する。視聴ログデータベースサーバ１４は、選択した視聴番組情報をデータ処理装置１１に送信する。
【００２７】
端末装置２１には、ユーザの操作により身体の状態を示す入力データが入力される。入力データには、例えば、身長、体重、性別、年齢、体脂肪、血糖値、その他、計測装置２２では計測できない物理量、指標値、等がある。また、端末装置２１は、計測装置２２からユーザの身体の状態を示す計測データを受信する。端末装置２１は、入力された入力データと受信した計測データをユーザデータとしてユーザデータベースサーバ１２にネットワーク４１を介して送信する。端末装置２１は、データ処理装置１１からテキスト情報を受信し、受信したテキスト情報を表示する。端末装置２１は、例えば、ユーザが所持する多機能携帯電話機（いわゆる、スマートフォンを含む）、タブレット端末装置、テレビジョン受信装置（可搬型、据え置き型、いずれでもよい）、等の電子機器である。なお、端末装置２１がテレビジョン放送の受信機能を有する電子機器（テレビジョン受信装置も含む）である場合には、受信装置２３は用いられなくてもよい。
【００２８】
計測装置２２は、ユーザの身体の状態を示す指標を計測する計測装置である。計測装置２２は、所定の期間内（例えば、１日）の歩数、移動距離、消費カロリー、階数などの行動情報、睡眠時間、等のいずれか、又はその組み合わせを計測する。計測装置２２は、計測値を示す計測データを生成し、生成した計測データを端末装置２１に無線又は有線で送信する。計測装置２２は、端末装置２１との間のデータの送受信において、例えば、ＩＥＥＥ８０２．１５．１で規定された近距離無線通信規格に準拠した方式を用いてもよい。計測装置２２は、ユーザの身体に装着するための装着具（例えば、腕輪、ネックレス、等）を備えてもよい。
【００２９】
受信装置２３は、テレビジョン放送番組の内容（映像、音声）を示す番組データを、放送伝送路（図示せず）を介して受信し、受信した番組データの映像、音声又はその両者を提示する。受信装置２３は、ユーザの操作により入力された操作信号に基づいて番組の受信の有無、及び受信する放送局（チャネル）を選択する。受信装置２３は、受信した番組データに基づいて視聴データを生成する。具体的には、受信装置２３は、継続して番組データを受信した時間帯をデータ取得時間情報と特定し、その番組の番組名を視聴番組情報と特定する。また、受信装置２３は、予め設定した機器識別情報（例えば、ＴＶ  ＩＤ）と、地域情報（例えば、郵便番号）を、特定したデータ取得時間情報と視聴番組情報とを統合して視聴データを生成する。受信装置２３は、生成した視聴データを視聴ログデータベースサーバ１４に送信する。視聴データの例については、後述する。
【００３０】
ネットワーク４１は、双方向でデータを送受信することができる通信伝送路である。ネットワーク４１は、インターネット、公衆無線通信網（ＰＬＭＮ：Ｐｕｂｌｉｃ  Ｌａｎｄ  Ｍｏｂｉｌｅ  Ｎｅｔｗｏｒｋ）等の広域無線通信網である。
【００３１】
（データ処理装置の構成）
次に、本実施形態に係るデータ処理装置１１の構成について説明する。
図３は、本実施形態に係るデータ処理装置１１の構成を示すブロック図である。
データ処理装置１１は、通信部１１１、ユーザデータ解析部１１２、キーワード決定部１１３、番組特定部１１４、情報検索部１１５、及びデータ記憶部１１８を含んで構成される。通信部１１１、ユーザデータ解析部１１２、キーワード決定部１１３、番組特定部１１４、情報検索部１１５、及びデータ記憶部１１８は、相互にデータを送受信することができる基線（バス）１１９で接続されている。
【００３２】
通信部１１１は、他の機器との間でデータを送信及び受信する。通信部１１１は、他の機器から受信したデータを、他の構成部に出力し、また、他の構成部から入力されたデータを他の機器に送信（出力）する出力部である。通信部１１１は、例えば、通信インタフェースである。
ユーザデータ解析部１１２は、ユーザデータベースサーバ１２からユーザデータとユーザ登録データを受信する。ユーザデータ解析部１１２は、受信したユーザデータに含まれている要素データを判定する。要素データとは、ユーザデータの要素となるデータ、例えば、計測データに含まれる歩数データ、睡眠データ、等のそれぞれである。ユーザデータ解析部１１２は、含まれていると判定された要素データを示す要素データ情報を生成する。ユーザデータ解析部１１２は、生成した要素データ情報をキーワード決定部１１３に出力し、受信したユーザ登録データを番組特定部１１４と情報検索部１１５に出力する。
【００３３】
キーワード決定部１１３は、データ記憶部１１８に記憶されたキーワードデータを参照して、ユーザデータ解析部１１２から入力された要素データ情報が示す要素データに対応するキーワードを読み取り、読み取ったキーワードを検索キーワードと定める。キーワード決定部１１３は、定めた検索キーワードを示す検索キーワード情報を情報検索部１１５に出力する。キーワードデータの例については、後述する。
【００３４】
番組特定部１１４は、ユーザデータ解析部から入力されたユーザ登録データから地域情報を読み取る。番組特定部１１４は、読み取った地域情報が示す地域で所定期間（例えば、その時点の前日）内に放送された放送番組を特定することを指示する番組特定情報を生成する。番組特定部１１４は、生成した番組特定情報を通信部１１１及びネットワーク３１を介して視聴ログデータベースサーバ１４に送信する。
その後、番組特定部１１４は、視聴ログデータベースサーバ１４からその地域で所定期間内に放送された放送番組を示す視聴番組情報を受信する。これにより、その地域で所定期間内に放送された放送番組が特定される。番組特定部１１４は、受信した視聴番組情報を情報検索部１１５に出力する。
【００３５】
情報検索部１１５には、キーワード決定部１１３から検索キーワード情報が入力され、番組特定部１１４から視聴番組情報が入力される。情報検索部１１５は、視聴番組情報が示す放送番組のうち、検索キーワード情報が示す検索キーワードを含むコーナのテキスト情報を検索することを指示する検索要求情報を生成する。情報検索部１１５は、生成した検索要求情報を番組情報データベースサーバ１３に送信する。
その後、情報検索部１１５は、番組情報データベースサーバ１３からテキスト情報を受信し、受信したテキスト情報を端末装置２１に送信する。ここで、情報検索部１１５は、送信先として、ユーザデータ解析部１１２から入力されたユーザ登録データに含まれる機器識別情報が示す端末装置２１を特定する。
【００３６】
（各種データの例）
次に、本実施形態で用いられる各種のデータの例について説明する。
図４は、ユーザ登録データの一例（ユーザ登録データＤｔ０１）を示す図である。
ユーザ登録データＤｔ０１（ｕｓｅｒ）は、ユーザ識別情報（ｕｓｅｒＩＤ）、氏名（ｆｕｌｌＮａｍｅ）、別名（ｎｉｃｋＮａｍｅ）、個人案内（ａｂｏｕｔＭｅ）、アバタ（ａｖａｔａｒ）、地域情報（ｚｉｐ、ｃｉｔｙ、ｃｏｕｎｔｒｙ）、生年月日（ｄａｔｅＯｆＢｉｒｔｈ）、機器識別情報（ｄｅｖｉｃｅＩｄ）、性別（ｇｅｎｄｅｒ）、身長（ｈｅｉｇｈｔ）、及び入会日（ｍｅｍｂｅｒＳｉｎｃｅ）を含み、これらが対応付けられている。  
なお、ユーザ登録データＤｔ０１には、少なくともユーザ識別情報と機器識別情報が含まれていればよく、他の情報は省略されてもよい。地域情報が省略された場合には、視聴ログデータベースサーバ１４に地域情報を用いて放送された放送番組を特定させる番組特定部１１４が省略されてもよい。
【００３７】
図５は、入力データの例を示す図である。
図５（Ａ）は、入力データの一部である身体データの一例（身体データＤｔ０２）を示す。身体データＤｔ０２（ｂｏｄｙ）は、上腕囲（ｂｉｃｅｐ：単位ｃｍ）、ふくらはぎ囲（ｃａｌｆ：単位ｃｍ）、胸囲（ｃｈｅｓｔ：単位ｃｍ）、体脂肪率（ｆａｔ：単位％）、前腕囲（ｆｏｒｅａｒｍ：単位ｃｍ）、腰囲（ｈｉｐｓ：単位ｃｍ）、首囲（ｎｅｃｋ：単位ｃｍ）、太腿囲（ｔｈｉｇｈ：単位ｃｍ）、及び胴囲（ｗａｉｓｔ：単位ｃｍ）を含み、これらが対応付けられている。なお、身体データＤｔ０２の一部又は全部は省略されてもよく、その都度更新されなくてもよい。
図５（Ｂ）は、入力データの他の一部である体重データの一例（体重データＤｔ０３）を示す。体重データＤｔ０３（Ｗｅｉｇｈｔ）は、ログ識別情報（ｌｏｇＩｄ）、ＢＭＩ（ｂｍｉ：ｂｏｄｙ  ｍａｓｓ  ｉｎｄｅｘ）、及び体重（ｗｅｉｇｈｔ：単位ｋｇ）が含まれ、これらが対応付けられている。ＢＭＩは、身長と体重とから算出される肥満の度合いを示す指標である。なお、体重データＤｔ０３では、ＢＭＩが省略されてもよい。
【００３８】
図６は、計測データの例を示す図である。
図６（Ａ）は、計測データの一部である活動データの一例（活動データＤｔ０４）を示す。活動データＤｔ０４（Ｒｕｎｎｉｎｇ）は、１回のランニング中で計測されたデータである。
活動データＤｔ０４は、ログ識別情報（ｌｏｇＩｄ）、開始時刻（ｓｔａｒｔＴｉｍｅ：単位  年−月−日  時：分：秒）、消費カロリー（ｃａｌｏｒｉｅｓ：単位ｋｃａｌ）、距離（ｄｉｓｔａｎｃｅ：単位ｋｍ）、時間（ｄｕｒａｔｉｏｎ：単位  秒）、及び歩数（ｓｔｅｐｓ）を含み、これらが対応付けられている。
活動データＤｔ０４において、消費カロリーと距離のいずれか、もしくは両者は省略されてもよい。計測開始、終了は、ユーザの操作により計測装置２２から指示されてもよい。
【００３９】
図６（Ｂ）は、計測データの他の一部である歩数データの一例（歩数データＤｔ０５）を示す。歩数データＤｔ０５（Ｗａｌｋｉｎｇ）は、１日の生活において計測されたデータである。
歩数データＤｔ０５は、ログ識別情報（ｌｏｇＩｄ）、消費カロリー（ｃａｌｏｒｉｅｓ：単位ｋｃａｌ）、距離（ｄｉｓｔａｎｃｅ：単位ｋｍ）、歩数（ｓｔｅｐｓ）、及び階数（ｆｌｏｏｒｓ：単位  階、階段を昇降した階数）を含み、これらが対応付けられている。歩数データＤｔ０５において、消費カロリー、距離、階数のいずれか、もしくは任意の組み合わせが省略されてもよい。
【００４０】
図６（Ｃ）は、計測データのさらに他の一部である睡眠データの一例（睡眠データＤｔ０６）を示す。睡眠データＤｔ０６（ｓｌｅｅｐ）は、１日分の就寝を挟んで計測されたデータである。
睡眠データＤｔ０６は、ログ識別情報（ｌｏｇＩｄ）、開始時刻（ｓｔａｒｔＴｉｍｅ：単位  年−月−日  時：分：秒）、就寝時刻（ｔｉｍｅＩｎＢｅｄ：単位  時：分：秒）、入眠時間（ｍｉｎｕｔｓＴｏＦａｌｌＡｓｌｅｅｐ：単位  分）、覚醒時間（ｍｉｎｕｔｓＡｗａｋｅ：単位  分）、睡眠時間（ｍｉｎｕｔｅｓＳｌｅｅｐ：単位  分）、覚醒回数（ａｗａｋｅｎｉｎｇｓＣｏｕｎｔ：単位  回）、及び睡眠効率（ｅｆｆｉｃｉｅｎｃｙ：単位％）を含み、これらが対応付けられている。
睡眠データＤｔ０６において、開始時刻、就寝時刻、入眠時間、覚醒時間、覚醒回数（及び睡眠効率（ｅｆｆｉｃｉｅｎｃｙ：単位％）のいずれか、もしくは任意の組み合わせが省略されてもよい。
【００４１】
図７は、キーワードデータの一例（キーワードデータＤｔ０７）を示す図である。
キーワードデータＤｔ０７は、要素データ、キーワード、及びカテゴリ情報を含み、これらが対応付けられている。キーワードとして、要素データに関連する話題（トピック）やその話題に多く含まれる語句が用いられる。話題には、健康の維持、増進に役立つ手段、例えば、製品、サービス、習慣、運動、食品、等が含まれる。カテゴリ情報は、要素データに関連する話題が属する分野、分類（カテゴリ）を示す。
また、キーワードデータＤｔ０７は、入力されたユーザデータが要素データとして、歩数データ、睡眠データのいずれか、又はその両方が含まれる場合に用いられる。キーワードデータＤｔ０７では、１つの要素データに複数のキーワードが対応付けられている場合や、１つの要素データに複数のカテゴリが対応付けられている場合もある。
例えば、図７の第２行では、例えば、要素データとして「歩数」データに、３個のキーワード「歩数」、「活動量」、及び「運動」と、２個のカテゴリ「健康」、「運動」とが対応付けられている。
【００４２】
ここで、ユーザデータ解析部１１２から入力された要素データ情報が「歩数」データを示す場合を仮定してキーワード決定部１１３の処理について説明する。
キーワード決定部１１３は、キーワードデータＤｔ０７を参照して、「歩数」データに対応するキーワード「歩数」、「活動量」及び「運動」を読み取る。キーワード決定部１１３は、読み取ったキーワード「歩数」、「活動量」及び「運動」を示す検索キーワード情報を情報検索部１１５に出力する。
また、キーワード決定部１１３は、キーワードデータＤｔ０７を参照して、歩数データに対応するカテゴリ「健康」及び「運動」を読み取る。キーワード決定部１１３は、読み取ったカテゴリ「健康」及び「運動」を示す検索カテゴリ情報を情報検索部１１５に出力する。
そして、情報検索部１１５は、検索キーワード情報が示すキーワード「歩数」、「活動量」及び「運動」の少なくともいずれかを含み（ＯＲ検索）、かつ、検索カテゴリ情報が示すカテゴリ「健康」、「運動」の少なくともいずれかに属する（ＯＲ検索）コーナのテキスト情報の検索を指示する検索要求情報を生成する。従って、検索キーワード情報が示すキーワードで検索されるテキスト情報は、検索カテゴリ情報が示すカテゴリで限定される。
【００４３】
図８は、視聴データの一例（視聴データＤｔ０８）を示す図である。
視聴データＤｔ０８は、機器識別情報（ＴＶ  ＩＤ）、データ取得時間情報、視聴番組情報、及び地域情報（郵便番号）を含み、これらが対応付けられている。機器識別情報は、ユーザが視聴した受信装置２３を識別する情報である。データ取得時間情報は、継続して１つの番組データを受信した時間帯を示す情報、つまり、その番組の視聴時間を示す情報である。データ取得時間情報は、開始時刻と終了時刻で指定される。視聴番組情報は、その番組の番組名を示す情報である。地域情報は、受信装置２３が設置されている地域を示す情報、図示の例では、郵便番号である。図８の第２行では、機器識別情報（ＴＶ０１２３４５６）に、データ取得時間（開始時刻２０１３／１１／２９  １０：３１−終了時刻２０１３／１１／２９  １９：４３）、視聴番組情報「昨日の健康」、及び地域情報「１２３−４５６７」が対応付けられている。
【００４４】
上述したように、視聴データＤｔ０８は、番組特定部１１４において、検索対象の放送番組を放送時間、放送地域で絞り込む際に用いられる。例えば、番組特定部１１４は、視聴データＤｔ０８の第２行を参照して、所定の時間帯がデータ取得時間２０１３／１１／２９  １０：３１−２０１３／１１／２９  １０：４７を含み、ユーザ登録情報が示す郵便番号が示す地域と一致する地域１２３−４５６７で放送された放送番組の番組名「昨日の健康」を特定することができる。これにより、検索対象のテキスト情報が、放送時間、放送地域で限定される。
【００４５】
図９は、番組情報の一例（番組情報Ｄｔ０９）を示す図である。
番組情報Ｄｔ０９は、コーナ識別情報（コーナＩＤ）、開始時刻情報、終了時刻情報、番組名情報、カテゴリ情報、テキスト情報（説明）、及び放送局識別情報（放送局ＩＤ）を含み、これらが対応付けられている。コーナ識別情報は、コーナのそれぞれを識別する情報であり、各コーナと一意に対応付けられている。開始時刻情報は、そのコーナの開始時刻を示す情報である。終了時刻情報は、そのコーナの終了時刻を示す情報である。番組名情報は、そのコーナを含む放送番組の名称（番組名）を示す情報である。カテゴリ情報は、その番組が属する分野、分類（カテゴリ）を示す情報である。テキスト情報は、そのコーナで放送された事物の説明文を表す情報である。テキスト情報は、健康に関する話題、例えば、健康の維持、増進に関する事物を含むものであればよく、例えば、該当コーナの概要、出演者の発言を示す発言情報、議事情報、解説記事、等が含まれてもよい。
【００４６】
例えば、図９の第９行では、コーナ識別情報「３４４００」に、開始時刻情報「２０１３／１１／３０  １９：４８：００」、終了時刻情報「２０１３／１１／３０  １９：５２：００」、番組名情報「健康アミューズメント！わたしのホームドクター」、カテゴリ情報「健康、美容」、テキスト情報（説明）「床野間医師が入眠ストレッチを伝授。布団に入ったら膝を曲げ…お腹に手を当て腹式呼吸を何回も繰り返すとよい。」、及び放送局識別情報「１０２４」が対応付けられている。
テキスト情報は、情報検索部１１５による主たる検索対象となる。また、カテゴリ情報は、検索されたテキスト情報を限定する際に用いられることがある。
なお、説明の便宜上、テキスト情報が情報検索部１１５による主たる検索対象である場合を例にしているが、検索対象は、例えば、図９の一行全ての列でもよいし、一部の列でもよい。例えば、テキスト情報を検索対象とし、端末装置２１にそのテキスト情報をアドバイスとして表示する場合、情報検索部１１５は、そのテキスト情報と対応する開始時刻情報や、番組名情報なども併せて抽出してもよい。そして、端末装置２１は、抽出した開始時刻情報、番組名情報、等もアドバイス表示画像（後述）に表示してもよい。
【００４７】
（データ処理）
次に、本実施形態に係るデータ処理の一例について説明する。
図１０は、本実施形態に係るデータ処理の一例を示すフローチャートである。
（ステップＳ１０１）データ処理装置１１のユーザデータ解析部１１２は、ユーザデータベースサーバ１２からユーザデータとユーザ登録データを受信する。その後、ステップＳ１０２に進む。
（ステップＳ１０２）ユーザデータ解析部１１２は、受信したユーザデータに含まれている要素データを判定する。その後、ステップＳ１０３に進む。
【００４８】
（ステップＳ１０３）キーワード決定部１１３は、データ記憶部１１８に記憶されたキーワードデータを参照して、含まれていると判定された要素データのそれぞれに対応するキーワードを読み取り、読み取ったキーワードを検索キーワードと決定する。その後、ステップＳ１０４に進む。
（ステップＳ１０４）番組特定部１１４は、ユーザ登録データに含まれる地域情報が示す地域（ユーザの所在地）で所定期間（例えば、その時点の前日）内に放送された放送番組を特定することを視聴ログデータベースサーバ１４に指示する番組特定情報を生成する。その後、番組特定部１１４は、視聴ログデータベースサーバ１４からその地域で所定期間内に放送された放送番組を示す視聴番組情報を受信する。その後、ステップＳ１０５に進む。
【００４９】
（ステップＳ１０５）情報検索部１１５は、受信した視聴番組情報が示す放送番組のうち、検索キーワード情報が示す検索キーワードを含むコーナのテキスト情報を検索することを番組情報データベースサーバ１３に指示する。その後、情報検索部１１５は、番組情報データベースサーバ１３からテキスト情報を受信する。その後、ステップＳ１０６に進む。
（ステップＳ１０６）情報検索部１１５は、送信先として、ユーザ登録データに含まれる機器識別情報が示す端末装置２１を特定し、受信したテキスト情報を端末装置２１に送信する。その後、図１０に示す処理を終了する。
【００５０】
（端末装置の構成）
次に、端末装置２１の構成について説明する。
図１１は、本実施形態に係る端末装置２１の構成を示すブロック図である。
端末装置２１は、ユーザデータ入力部２１１、表示部２１４、通信部２１５、ユーザデータ処理部２１６、情報出力部２１７、及びデータ記憶部２１８を含んで構成される。ユーザデータ入力部２１１は、計測データ入力部２１２及び操作データ入力部２１３を含んで構成される。計測データ入力部２１２、操作データ入力部２１３、表示部２１４、通信部２１５、ユーザデータ処理部２１６、情報出力部２１７、及びデータ記憶部２１８は、相互にデータを入出力できる基線（バス）２１９で接続されている。
【００５１】
計測データ入力部２１２には、計測装置２２から計測データが入力され、入力された計測データをユーザデータ処理部２１６に出力する。計測データ入力部２１２は、例えば、無線通信インタフェースである。
操作データ入力部２１３は、ユーザの操作により各種の操作入力信号を生成し、生成した操作入力信号を各部に出力する。操作入力信号には、ユーザの身体の状態を示す入力データがある。操作データ入力部２１３は、入力データをユーザデータ処理部２１６に出力する。操作データ入力部２１３は、例えば、表示部２１４と重ね合わせて配置されたタッチセンサ、キーボード、マウス等のポインティングデバイスである。
【００５２】
表示部２１４は、情報出力部２１７から入力された画像データに基づく画像を表示する。表示部２１４は、例えば、液晶ディスプレイ（ＬＣＤ：Ｌｉｑｕｉｄ  Ｃｒｙｓｔａｌ  Ｄｉｓｐｌａｙ）である。
通信部２１５は、他の機器との間でデータを送受信する。通信部２１５は、ユーザデータ処理部２１６から入力されたユーザデータをユーザデータベースサーバ１２に送信する。また、通信部２１５は、データ処理装置１１から受信したテキスト情報を情報出力部２１７に出力する。通信部２１５は、例えば、通信インタフェースである。
【００５３】
ユーザデータ処理部２１６は、計測データ入力部２１２から入力された計測データ、操作データ入力部２１３から入力された操作データをそれぞれ所定の形式に変換する（図５、６参照）。ユーザデータ処理部２１６は、形式を変換したデータをユーザデータとして通信部２１５を介してユーザデータベースサーバ１２に送信する。
情報出力部２１７は、データ処理装置１１からテキスト情報を受信する。受信したテキスト情報を所定の形式の画像データに変換し、変換した画像データを表示部２１４に出力する。これにより、受信したテキスト情報を表示部２１４にアドバイス表示画像として表示させる。
【００５４】
データ記憶部２１８は、端末装置２１で行われる処理に用いられるデータや、処理によって生成されたデータを記憶する。データ記憶部２１８には、予め着信表示画像フォーマットを記憶しておく。着信表示画像フォーマットは、着信表示画像（後述）に表示する各種の文字、ボタン、それらの大きさや配置を示す情報である。
【００５５】
（表示例）
次に、本実施形態に係る表示部２１４の表示例について説明する。
図１２は、本実施形態に係る表示部２１４の表示例を示す図である。図１２は、端末装置２１が多機能携帯電話機である場合の表示例を示す。端末装置２１は、水平方向の長さよりも垂直方向の長さの方が大きい縦長で扁平の形状を有し、その表面に表示部２１４を備える。端末装置２１は、操作データ入力部２１３として、表示部２１４の表面に重なる位置にタッチセンサを備え、表示部２１４に重ならない位置にキーボードを備える。
【００５６】
図１２（Ａ）は、着信表示画像の例（着信表示画像Ｉｍ０１）を示す。着信表示画像Ｉｍ０１は、放送番組から抽出されたアドバイスを着信した旨をユーザに通知する画像である。着信表示画像Ｉｍ０１には、その旨と件数を示すテキスト情報「昨日の番組から３件お知らせがあります」と、２つのボタンＢｔ０１、Ｂｔ０２を含む。ボタンＢｔ０１は、アドバイスの表示を拒否するためのボタンである。ボタンＢｔ０１には、表示を拒否する旨を示す文字列「後で」が表示されている。ボタンＢｔ０２は、アドバイス表示画像の表示を指示するためのボタンである。ボタンＢｔ０２には、表示を指示する旨を示す文字列「見る」が表示されている。
【００５７】
情報出力部２１７は、着信表示画像を表示させる際、データ記憶部２１８から着信表示画像フォーマットを読み取り、受信したテキスト情報の件数を計数する。情報出力部２１７は、計数した件数を読み取った着信表示画像フォーマットに統合して着信表示画像データを生成し、生成した着信表示画像データを表示部２１４に出力する。
なお、操作データ入力部２１３から入力された操作入力信号がボタンＢｔ０１の押下を示すとき、情報出力部２１７は、表示部２１４に表示させている着信表示画像を消去する。また、操作データ入力部２１３から入力された操作入力信号がボタンＢｔ０２の押下を示すとき、情報出力部２１７は、受信したテキスト情報の所定の部分（例えば、先頭のコーナ）とその部分に対応する放送番組情報の他の要素を変換して表示部２１４に出力する。これにより、表示部２１４には、アドバイス表示画像が表示される。
【００５８】
図１２（Ｂ）は、アドバイス表示画像の例（アドバイス表示画像Ｉｍ０２）を示す。アドバイス表示画像Ｉｍ０２には、受信したテキスト情報に係る番組の放送日「７／２９の番組」、テキスト情報「重いものを運んだり上下の運動で効率よくカロリーを消費できる。」、放送時間「１１：００〜１３：５３」、番組名「ひるあがり！」、及びボタンＢｔ０３が上方から下方に順に表示されている。ボタンＢｔ０３は、次の順序のテキスト情報の表示を指示するためのボタンである。放送日と放送時間は、放送番組情報の開始時間情報、終了時間情報から特定され、番組名は、放送番組情報の番組名情報から特定される。
なお、操作データ入力部２１３から入力された操作入力信号がボタンＢｔ０３の押下を示すとき、情報出力部２１７は、現在表示させているテキスト情報の次のコーナのテキスト情報を特定する。情報出力部２１７は、特定したテキスト情報とその部分に対応する放送番組情報の他の要素を変換して表示部２１４に出力する。これにより、表示部２１４には、次のコーナのテキスト情報を含んだアドバイス表示画像が表示される。
なお、アドバイス表示画像に、放送局名を含めてもよいし、番組の放送時間に代えてコーナの放送時間を含めてもよい。これにより、アドバイス表示画像は、ユーザに、いつどの番組のどのタイミングで放送された有力な情報である、ということを強く印象付けることができる。放送されたコンテンツに含まれる情報は、人づての伝聞などよりも高い信憑性があるとみなされることがあるため、このアドバイスとして表示されたテキスト情報が有効なものであると認識されうる。
アドバイスとして表示されるテキスト情報は、ユーザ自身が日々行っている行動と内容が同じであっても、異なっていてもよい。いずれの情報もユーザにとり有益な情報である。例えば、ユーザ自身が行っていることと同じか、近い内容を示す情報に接することにより、ユーザは、自己の行動が正しいことを確認することができ、より継続した行動を促すことができる。また、ユーザ自身が行っていることと異なる内容を示す情報に接することにより、ユーザは、新たな方法を知ることができる。
【００５９】
図１３は、アドバイス表示画像の他の例（アドバイス表示画像Ｉｍ０３）を示す図である。
図１３に示す例は、端末装置２１がテレビジョン受信装置である場合の表示例を示す。端末装置２１は、水平方向の長さよりも垂直方向の長さの方が短い縦長の形状を有し、その表面のほぼ全面に表示部２１４を備える。表示部２１４には、操作データ入力部２１３としてタッチセンサが重ねられている。この例では、アドバイス表示画像Ｉｍ０２の表示に用いたテキスト情報と同一のテキスト情報が用いられている。
【００６０】
アドバイス表示画像Ｉｍ０３に表示されている情報のうち、放送日、テキスト情報、放送時間、及び番組名は、アドバイス表示画像Ｉｍ０２と共通である。但し、アドバイス表示画像Ｉｍ０３では、右辺近傍にボタンＢｔ０４が表示されている点で、底辺近傍にボタンＢｔ０３を含んだアドバイス表示画像Ｉｍ０２とは異なる。また、ボタンＢｔ０４が押下された場合の情報出力部２１７の処理は、ボタンＢｔ０４が押下された場合の処理と同様である。
なお、図１３に示すテレビジョン受信装置のように、携帯電話機よりも表示領域が大きい場合には、端末装置２１は、着信表示画像の表示（図１２（Ａ））を省略してもよい。また、端末装置２１は、表示画像（着信表示画像、アドバイス表示画像のいずれか、又は両者）に、他の映像や文字データを含めてもよい。また、端末装置２１は、表示画像の表示に代えて、又は併せて、その内容を音声で報知してもよい。
【００６１】
以上に説明したように、本実施形態に係るデータ処理装置１１は、身体の状態を示す状態情報に関するキーワードを含むキーワードデータを記憶するキーワード記憶部（例えば、データ記憶部１１８）を備える。また、データ処理装置１１は、端末装置（例えば、端末装置２１）が送信した身体の状態を示す状態情報を取得する状態情報取得部（例えば、ユーザデータ解析部１１２）を備える。また、データ処理装置１１は、キーワードデータを参照して、状態情報取得部が取得した状態情報に対応するキーワードを定めるキーワード決定部（例えば、キーワード決定部１１３）を備える。また、データ処理装置１１は、コンテンツに関するテキスト情報を記憶するコンテンツ情報記憶部（例えば、番組情報データベースサーバ１３）から、キーワード決定部が定めたキーワードに基づいて、状態情報に関する説明文を表すテキスト情報を検索する情報検索部（例えば、情報検索部１１５）と、を備える。
なお、コンテンツに関するテキスト情報を記憶するコンテンツ情報部は、番組情報データベースサーバ１３に限られず、ネットワーク４１に接続されたサーバ装置であってもよい。情報検索部１１５は、１つの１サーバ装置でキーワードに基づくテキスト情報の検索情報が得られなかった場合には、ネットワーク４１に接続された他のサーバ装置からテキスト情報の検索を試行してもよい。
【００６２】
また、本実施形態に係る端末装置２１は、身体の状態を示す状態情報を入力する状態情報入力部（例えば、ユーザデータ入力部２１１）を備える。また、端末装置２１は、状態情報をデータ処理装置（例えば、データ処理装置１１）又はデータ処理装置に当該状態情報を送信する機器（例えば、ユーザデータベースサーバ１２）に送信し、かつ、データ処理装置が検索したテキスト情報を受信する通信部（例えば、通信部２１５）を備える。また、端末装置２１は、通信部が受信したテキスト情報を出力する情報出力部（例えば、情報出力部２１７）を備える。
【００６３】
この構成により、端末装置２１から受信した状態情報が示す身体の状態に関する語句をキーワードとして含むテキスト情報が検索される。検索されたテキスト情報として、ユーザの身体の状態に応じたテキスト情報が取得されるため、取得されたテキスト情報がユーザに飽きられずに継続的に利用される。また、取得されたテキスト情報は、既存のコンテンツに関するためコンテンツが情報資源として有効に活用される。また、コンテンツは放送番組であってもよい。その場合には、制作者、放送事業者により、常に新たな放送番組が蓄積される。この構成により、検索されたテキスト情報として新たな放送番組に対応したテキスト情報が取得され、取得されたテキスト情報がユーザに飽きられずに継続的に利用される。
【００６４】
（第２の実施形態）
次に本発明の第２の実施形態について説明する。上述した実施形態と同一の構成については、同一の符号を付して説明を援用する。
本実施形態に係るデータ処理システム１Ａ（図示せず）は、データ処理システム１（図２）においてデータ処理装置１１に代えてデータ処理装置１１Ａを備える。
【００６５】
図１４は、本実施形態に係るデータ処理装置１１Ａの構成を示すブロック図である。
データ処理装置１１Ａは、通信部１１１、ユーザデータ解析部１１２Ａ、キーワード決定部１１３Ａ、番組特定部１１４、情報検索部１１５Ａ、及びデータ記憶部１１８を含んで構成される。
【００６６】
ユーザデータ解析部１１２Ａは、ユーザデータ解析部１１２と同様に、ユーザデータベースサーバ１２から受信したユーザデータに含まれている要素データを示す要素データ情報を生成し、生成した要素データ情報をキーワード決定部１１３に出力する。また、ユーザデータ解析部１１２Ａは、受信したユーザ登録データを番組特定部１１４と情報検索部１１５に出力する。
【００６７】
ユーザデータ解析部１１２Ａは、受信したユーザデータに含まれていると判定された要素データのうち定量的な値を示すデータについては、その時間経過に応じた変化傾向を解析する。解析において、その時点より所定時間（例えば、１週間）過去までの要素データの値を一次関数に回帰分析する。ユーザデータ解析部１１２Ａは、分析により得られた一次関数の傾きが閾値１よりも大きい場合、ユーザデータ解析部１１２Ａは、その要素データの値が増加していると判定する。閾値１は、予め定めた正の閾値である。また、その傾きが、閾値２よりも小さい場合、ユーザデータ解析部１１２Ａは、その要素データの値が減少していると判定する。閾値２は、予め定めた負の閾値である。また、その傾きが、閾値２以上であって、閾値１以下である場合、ユーザデータ解析部１１２Ａは、その要素データの値が不変であると判定する。ユーザデータ解析部１１２Ａは、その要素データの値が増加しているか、減少しているか、又は不変であるかを示す要素データ変化情報を生成し、生成した要素データ変化情報をキーワード決定部１１３に出力する。
【００６８】
キーワード決定部１１３Ａは、キーワード決定部１１３と同様に、要素データに対応するキーワードを定める。また、キーワード決定部１１３Ａは、要素データに対応するカテゴリを定め、定めたカテゴリを示す検索カテゴリ情報を情報検索部１１５Ａに出力する。
但し、本実施形態では、データ記憶部１１８に記憶されたキーワードデータには、追加キーワードがさらに含まれる。追加キーワードは、要素データの変化傾向（増加、減少、不変）のそれぞれと対応付けられている。以下の説明では、第１の実施形態で説明したキーワードを基本キーワードと呼んで、追加キーワードと区別する。キーワードデータに含まれる追加キーワードは、その要素データに対応した基本キーワードにも対応付けられている。本実施形態に係るキーワードデータの例については、後述する。
【００６９】
キーワード決定部１１３Ａは、キーワードデータを参照して、ユーザデータ解析部１１２Ａから入力された要素データ変化情報が示す要素データの変化傾向に対応する追加キーワードを読み取る。キーワード決定部１１３Ａは、読み取った追加キーワードと、その追加キーワードに対応付けられた基本キーワードとの組であるキーワードセットを形成し、形成したキーワードセットを示す検索キーワード情報を情報検索部１１５Ａに出力する。
【００７０】
情報検索部１１５Ａは、キーワード決定部１１３Ａから検索キーワード情報が入力され、番組特定部１１４から視聴番組情報が入力される。
情報検索部１１５Ａは、視聴番組情報が示す放送番組のうち、検索キーワード情報が示すキーワードセットの基本キーワードとその基本キーワードに対応した追加キーワードとを含むコーナのテキスト情報を検索することを指示する検索要求情報を生成する。情報検索部１１５Ａは、生成した検索要求情報を番組情報データベースサーバ１３に送信する。
その後、情報検索部１１５Ａは、情報検索部１１５と同様に、受信したテキスト情報を端末装置２１に送信する。
【００７１】
（キーワードデータの例）
次に、本実施形態に係るキーワードデータの例について説明する。
図１５は、本実施形態に係るキーワードデータの一例（キーワードデータＤｔ１１）を示す。
キーワードデータＤｔ１１は、キーワードデータＤｔ０７（図７）と同様に要素データ、キーワード、及びカテゴリ情報を含み、これらが対応付けられている。キーワードデータＤｔ１１では、キーワードは、基本キーワードと追加キーワードとを含み、これらが対応付けられている。追加キーワードは、さらに要素データの変化傾向毎に定められている。以下の説明では、要素データの変化傾向毎に定められた追加キーワードを、傾向別追加キーワードと呼ぶ。また、基本キーワードと対応した傾向別追加キーワードとの組である。
【００７２】
キーワードデータＤｔ１１では、１つの要素データに対応付けられた複数のキーワードのそれぞれに追加キーワードが対応付けられる場合がある。
例えば、図１５の第２行では、例えば、要素データとして「歩数」データに３個の基本キーワード「歩数」、「活動量」、及び「運動」が対応付けられている。基本キーワード「歩数」、「活動量」、及び「運動」のそれぞれには、追加キーワードが対応付けられている。基本キーワード「歩数」には、追加キーワードとして「減らす」、「増やす」が対応付けられている。追加キーワード「減らす」は、要素データ「歩数」の変化傾向として「増加」に対応する傾向別追加キーワードである。追加キーワード「増やす」は、要素データ「歩数」の変化傾向として「減少」に対応する傾向別追加キーワードである。このように、傾向別追加キーワードとして、対応する基本キーワードが表す事物の変化傾向を表す語句、その要素データの変化傾向に応じた健康の維持、増進に関する語句が用いられることがある。また、傾向別追加キーワードは、対応する要素データの変化傾向に関連する話題や要素データの変化傾向に応じた健康の維持、増進に関する語句、又はそれらの話題に多く含まれる語句であってもよい。
【００７３】
また、１つの要素データの変化傾向に複数の傾向別追加キーワードが複数個定められてもよい。例えば、図１５の第２行の要素データ「歩数」の変化傾向「減少」に係る基本キーワード「運動」に３つの傾向別追加キーワード「長時間」、「効率」、及び「不足」が対応付けられている。また、各要素データの変化傾向には、必ずしも傾向別追加キーワードが定められていなくてもよい。例えば、図１５の第３行の要素データ「睡眠」の変化傾向「増加」に対応する傾向別追加キーワードは定められていない。要素データ「歩数」、「睡眠」ともに、それらの変化傾向「不変」に対応する傾向別追加キーワードは定められていない。このように、要素データの変化傾向が健康の維持、増進を示す場合には、必ずしも傾向別追加キーワードを用いて、その変化傾向に即したテキスト情報を検索しなくてもよいためである。
【００７４】
ここで、ユーザデータ解析部１１２Ａから入力された要素データ情報が「睡眠」であり、要素データ変化情報が「減少」を示している場合を例にして、キーワード決定部１１３Ａの処理について説明する。
キーワード決定部１１３Ａは、キーワードデータＤｔ１１を参照して、要素データ情報「睡眠」に対応する基本キーワード「睡眠」及び「休息」を読み取る。キーワード決定部１１３Ａは、要素データ情報「睡眠」と要素データ変化情報が示す変化傾向「減少」に対応する傾向別追加キーワード「効率」、「不足」及び「少ない」を読み取る。傾向別追加キーワード「効率」、「不足」及び「少ない」は、互いに並列している。
【００７５】
そして、キーワード決定部１１３Ａは、読み取った基本キーワード「睡眠」及び「休息」のそれぞれと、これに対応する傾向別追加キーワード「効率」、「不足」及び「少ない」のそれぞれとの組であるキーワードセット「睡眠・効率」、「睡眠・不足」、「睡眠・少ない」、「休息・効率」、「休息・不足」、及び「休息・少ない」を形成する。キーワード決定部１１３Ａは、形成したキーワードセットのそれぞれを示す検索キーワード情報を情報検索部１１５Ａに出力する。
また、キーワード決定部１１３Ａは、キーワードデータＤｔ１１を参照して、要素データ情報「睡眠」に対応するカテゴリ情報「健康」及び「美容」を読み取り、読み取ったカテゴリ情報「健康」及び「美容」を検索カテゴリ情報として情報検索部１１５Ａに出力する。
【００７６】
そして、情報検索部１１５Ａは、検索キーワード情報が示す各キーワードセット「睡眠・効率」等のそれぞれについて（ＯＲ検索）、それぞれを形成する基本キーワード「睡眠」と傾向別追加キーワード「効率」とを含み（ＡＮＤ検索）、かつ、検索カテゴリ情報が示すカテゴリ「健康」、「美容」の少なくともいずれかに属する（ＯＲ検索）コーナのテキスト情報の検索を指示する検索要求情報を生成する。従って、各キーワードセットを形成する基本キーワードと対応する傾向別追加キーワードとを含むコーナのテキスト情報のキーワードセット間の和集合が検索される。そして、検索された和集合が、検索カテゴリ情報が示すカテゴリで制限される。
【００７７】
なお、キーワードデータにおいて、要素データの変化傾向に対応する傾向別追加キーワードが定められていない場合には、キーワード決定部１１３Ａは、キーワード決定部１１３と同様に、その要素データに対応する基本キーワードを示す検索キーワード情報を生成する。例えば、図１５に示す例では、要素データ「睡眠」と「要素データ変化情報「増加」に対応する傾向別追加キーワードが定められていない。その場合、キーワード決定部１１３Ａは、要素データ情報「睡眠」に対応する基本キーワード「睡眠」及び「休息」を示す検索キーワード情報を生成し、生成した検索キーワード情報を情報検索部１１５Ａに出力する。情報検索部１１５Ａは、情報検索部１１５と同様に、入力された検索キーワード情報が示すキーワード「睡眠」及び「休息」の少なくともいずれかを含み（ＯＲ検索）、かつ、検索カテゴリ情報が示すカテゴリ「健康」、「美容」の少なくともいずれかに属する（ＯＲ検索）コーナのテキスト情報の検索を指示する検索要求情報を生成する。
【００７８】
（データ処理）
次に、本実施形態に係るデータ処理の一例について説明する。
図１６は、本実施形態に係るデータ処理の一例を示すフローチャートである。
本実施形態に係るデータ処理は、ステップＳ１０１、Ｓ１０２、Ｓ１１２Ａ、Ｓ１１３Ａ、Ｓ１０４、Ｓ１１５Ａ、及びＳ１０６を有する。
本実施形態では、ユーザデータ解析部１１２ＡがステップＳ１０２の処理を実行し、情報検索部１１５ＡがステップＳ１０６の処理を実行する。
【００７９】
図１６に示すデータ処理では、ステップＳ１０１及びＳ１０２の処理が終了した後、ステップＳ１１２Ａに進む。
（ステップＳ１１２Ａ）ユーザデータ解析部１１２Ａは、受信したユーザデータに含まれている要素データの値の時間経過に応じた変化傾向を解析し、その要素データの値が増加しているか、減少しているか、又は不変であるかを判定する。その後、ステップＳ１１３Ａに進む。
【００８０】
（ステップＳ１１３Ａ）キーワード決定部１１３Ａは、キーワードデータを参照して、要素データに対応する基本キーワードを定め、その要素データの変化傾向に対応する傾向別追加キーワードを定める。キーワード決定部１１３Ａは、定めた基本キーワードと追加キーワードとのキーワードセットを形成する。また、キーワード決定部１１３Ａは、要素データに対応するカテゴリを定める。その後、ステップＳ１０４に進む。ステップＳ１０４の処理が終了した後、ステップＳ１１５Ａに進む。
【００８１】
（ステップＳ１１５Ａ）情報検索部１１５Ａは、番組特定部が特定した放送番組のうち、キーワード決定部１１３Ａで決定したキーワードセットの基本キーワードとその基本キーワードに対応した追加キーワードとを含むコーナのテキスト情報を検索することを番組情報データベースサーバ１３に指示する。その後、情報検索部１１５Ａは、番組情報データベースサーバ１３からテキスト情報を受信する。その後、ステップＳ１０６に進む。ステップＳ１０６の処理が終了した後、図１６に示す処理が終了する。
【００８２】
以上に説明したように、本実施形態に係るデータ処理装置１１Ａは、取得した状態情報の変化を解析する状態解析部（例えば、ユーザデータ解析部１１２Ａ）を備える。また、データ処理装置１１Ａは、キーワード記憶部（例えば、データ記憶部１１８）が記憶するキーワードデータは、状態情報の変化に対応する第２のキーワード（例えば、追加キーワード）を含む。また、データ処理装置１１Ａにおいて、キーワード決定部（例えば、キーワード決定部１１３Ａ）は、状態解析部が解析した状態情報の変化に対応する第２のキーワードを更に選択する。
【００８３】
この構成により、端末装置２１から受信した状態情報が示す身体の状態に関する語句と身体の状態の変化に関する語句とをキーワードとして含むテキスト情報が検索される。検索されたテキスト情報として、ユーザの身体の状態の変化に適合したテキスト情報が取得され、ユーザの身体の状態の変化との関連性が低いテキスト情報が排除される。そのため、身体の状態の変化に応じた所望の健康に関する情報が得られる可能性を向上させることができる。
【００８４】
（第３の実施形態）
次に本発明の第３の実施形態について説明する。上述した実施形態と同一の構成については、同一の符号を付して説明を援用する。
本実施形態に係るデータ処理システム１Ｂ（図示せず）は、データ処理システム１（図２）においてデータ処理装置１１に代えてデータ処理装置１１Ｂを備える。
【００８５】
図１７は、本実施形態に係るデータ処理装置１１Ｂの構成を示すブロック図である。
データ処理装置１１Ｂは、通信部１１１、ユーザデータ解析部１１２Ｂ、キーワード決定部１１３Ｂ、番組特定部１１４、情報検索部１１５Ａ、及びデータ記憶部１１８を含んで構成される。
【００８６】
ユーザデータ解析部１１２Ｂは、ユーザデータ解析部１１２と同様に、ユーザデータベースサーバ１２から受信したユーザデータに含まれている要素データを示す要素データ情報を生成し、生成した要素データ情報をキーワード決定部１１３に出力する。また、ユーザデータ解析部１１２Ｂは、受信したユーザ登録データを番組特定部１１４と情報検索部１１５Ａに出力する。
ユーザデータ解析部１１２Ｂには、要素データの目標値が設定される。ユーザデータ解析部１１２Ｂは、ユーザの操作により入力された目標値を含んだ目標データを端末装置２１から直接受信してもよいし、ユーザデータベースサーバ１２を介して受信してもよい。
【００８７】
ユーザデータ解析部１１２Ｂは、受信したユーザデータに含まれていると判定された要素データであって定量的な値を示すデータについて、設定された目標値に達したか否かを判定する。ユーザデータ解析部１１２Ｂは、要素データの値と目標値との差分値が、閾値３（下限）から閾値４（上限）の間の範囲にあるとき、目標値に達した（達成）と判定する。閾値３は、予め定めた正の差分値の閾値である。閾値４は、予め定めた負の差分値の閾値である。ユーザデータ解析部１１２Ｂは、要素データの値と目標値との差分の絶対値が、閾値３よりも小さい、又は、閾値４よりも大きいとき、目標値に達していない（未達）と判定する。
なお、要素データの種類によっては、閾値３、閾値４のいずれかが省略されてもよい。つまり、その要素データの値が目標値（閾値）と等しいか、目標値よりも好ましい状態を示す値である場合、ユーザデータ解析部１１２Ｂは、目標値に達したと判定してもよい。例えば、要素データが体重である場合には、ユーザデータ解析部１１２Ｂは、要素データが目標値以下の場合に目標値に達したと判定する。この判定手法は、体重以外にコレステロール値、血圧、等の要素データについてなされてもよい。
【００８８】
ユーザデータ解析部１１２Ｂは、さらに、要素データの値の目標値に対する時間経過に応じた変化傾向として、目標値から遠ざかっているか、接近しているか、不変であるかを解析する。例えば、閾値３、４が設定されている場合には、ユーザデータ解析部１１２Ｂは、解析において、その時点より所定時間（例えば、１週間）過去までの要素データの値と目標値との差分値を一次関数に回帰分析する。ユーザデータ解析部１１２Ｂは、（ｉ）分析により得られた一次関数の傾きが上述の閾値１よりも大きく（増加）、かつ、その時点の差分値が閾値４（上限）よりも大きい場合、又は、（ｉｉ）一次関数の傾きが上述の閾値２よりも小さく（減少）、かつ、その時点の差分値が閾値３（下限）より小さい場合、要素データの値が目標値から遠ざかっている（乖離）と判定する。ユーザデータ解析部１１２Ｂは、（ｉｉｉ）分析により得られた一次関数の傾きが閾値１よりも大きく（増加）、かつ、その時点の差分値が閾値３（下限）よりも小さい場合、又は、（ｉｖ）一次関数の傾きが閾値２よりも小さく（減少）、かつ、その時点の差分値が閾値４（上限）より大きい場合、要素データの値が目標値に近づいている（接近）と判定する。ユーザデータ解析部１１２Ｂは、（ｖ）一次関数の傾きが、閾値２以上、かつ、閾値１以下の場合、要素データの値が目標値に対して横ばい（不変）と判定する。
ユーザデータ解析部１１２Ｂは、要素データの値が目標値に達したか否かと、要素データの値が目標値から乖離、目標値との差が不変、又は目標値から接近を示す要素データ変化情報を生成し、生成した要素データ変化情報をキーワード決定部１１３Ｂに出力する。
【００８９】
本実施形態では、データ記憶部１１８に２種類のキーワードデータ１、２を予め記憶しておく。キーワードデータ１、２は、それぞれ要素データの値が目標値に達していない場合、達した場合に用いられる。キーワードデータ１、２ともに要素データ、キーワード、及びカテゴリを含み、これらが対応付けられている。また、キーワードは、基本キーワードと追加キーワードとを含み、これらが対応付けられている。追加キーワードは、さらに要素データ値の目標値に対する変化傾向毎に定められている。キーワードデータ１では、乖離、不変、接近のそれぞれについて傾向別追加キーワードが定められているのに対し、キーワードデータ２では、乖離、不変のそれぞれについて傾向別追加キーワードが定められている。キーワードデータの例については後述する。
【００９０】
キーワード決定部１１３Ｂは、ユーザデータ解析部１１２Ｂから要素データ変化情報が入力される。要素データ変化情報が、要素データの値が目標値に達したことを示す場合、キーワード決定部１１３Ｂは、キーワードデータ１を用いると判定する。要素データ変化情報が、要素データの値が目標値に達していないことを示す場合、キーワード決定部１１３Ｂは、キーワードデータ２を用いると判定する。
キーワード決定部１１３Ｂは、用いると判定したキーワードデータ（キーワードデータ１、２のいずれか）を参照して、キーワード決定部１１３、１１３Ａと同様に、要素データに対応する基本キーワードを定める。また、キーワード決定部１１３Ｂは、要素データに対応するカテゴリを定め、定めたカテゴリを示す検索カテゴリ情報を情報検索部１１５Ａに出力する。
【００９１】
キーワード決定部１１３Ｂは、キーワードデータを参照して、ユーザデータ解析部１１２Ｂから入力された要素データ変化情報が示す要素データの目標値に対する変化傾向に対応する追加キーワードを読み取る。キーワード決定部１１３Ｂは、読み取った追加キーワードと、その追加キーワードに対応付けられた基本キーワードとの組であるキーワードセットを形成し、形成したキーワードセットを示す検索キーワード情報を情報検索部１１５Ａに出力する。
【００９２】
（目標データの例）
次に、本実施形態に係る目標データの例について説明する。
図１８は、本実施形態に係る目標データの一例（目標データＤｔ２１）を示す図である。
目標データＤｔ２１は、睡眠時間の目標値（Ｓｌｅｅｐ：単位  分）、体重の目標値（Ｗｅｉｇｈｔ：単位ｋｇ）、及び体脂肪率（ｆａｔ：単位％）の目標値を含む。目標値は、要素データとユーザに対応付けられる値である。目標データＤｔ２１に係るユーザは、送信元の端末装置２１の機器識別情報、又は上述のユーザ登録データに基づいて特定される。
なお、ユーザからの目標データの入力がない場合、ユーザデータ解析部１１２Ｂは、ある要素データに基づいて他の要素データの目標値を定めてもよい。例えば、ユーザデータ解析部１１２Ｂは、身長と体重示す入力データが入力された場合、その身長と体重に基づいてＢＭＩを算出し、算出したＢＭＩをＢＭＩの目標値として定めてもよい。例えば、ユーザデータ解析部１１２Ｂは、標準的な身長と体重が与えられたとき、ＢＭＩの目標値として、閾値３（下限）を１８．５、閾値４（上限）を２５と定める。
更には、ユーザデータ解析部１１２Ｂには、公的機関や医療機関などが推奨する体重、腹囲等の身体データを予め目標値として定めておいてもよい。例えば、ユーザデータ解析部１１２Ｂには、腹囲の目標値である閾値４（上限）として、８５ｃｍ又は９０ｃｍと定めておく。８５ｃｍ、９０ｃｍ以上の腹囲は、日本国において、それぞれ男性、女性が医療機関の診断を受診することが推奨されている腹囲である。そこで、ユーザデータ解析部１１２Ｂは、当該機関の機器からネットワーク４１を介して、目標値が変更される都度、その目標値を示す目標データを受信する。ユーザデータ解析部１１２Ｂは、受信した目標データが示す目標値が変更された場合に、目標値が変化された旨を示す情報を表示してもよい。これにより、目標値が時間経過に伴って変化した場合でも、変更されたことをユーザは認識することができる。
【００９３】
（キーワードデータの例）
次に、本実施形態に係るキーワードデータの例について説明する。
図１９は、本実施形態に係るキーワードデータの例を示す図である。
図１９（Ａ）、（Ｂ）は、それぞれキーワードデータＤｔ２２、Ｄｔ２３を示す。キーワードデータＤｔ２２、Ｄｔ２３は、それぞれ要素データの値が目標値に達していない場合に用いられるキーワードデータ１、目標値に達した場合に用いられるキーワードデータ２である。
【００９４】
キーワードデータＤｔ２２、Ｄｔ２３にそれぞれ含まれる要素データが体重である。キーワードデータＤｔ２２、Ｄｔ２３では、要素データに基本キーワード、追加キーワード、及び検索対象カテゴリが含まれ、これらが対応付けられている。キーワードデータＤｔ２２、Ｄｔ２３間では、基本キーワードが「体重」、「代謝」、及び「ダイエット」であり、検索対象カテゴリが「美容」、「運動」及び「ダイエット」である点で共通する。但し、キーワードデータＤｔ２２では、要素データの変化傾向として「遠ざかる」（乖離）、「横ばい」（不変）、及び「近づく」（接近）のそれぞれについて傾向別追加キーワードが定められている。他方、キーワードデータＤｔ２３では、要素データの変化傾向として「遠ざかる」（乖離）及び「横ばい」（不変）のそれぞれについて傾向別追加キーワードが定められているが、「近づく」（接近）について定められていない。要素データが目標値に達した場合には、さらに目標値に接近することがないためである。
【００９５】
基本キーワードのそれぞれについて、傾向別追加キーワードが対応付けられている。例えば、図１９（Ａ）に示すキーワードデータＤｔ２２の第２行の基本キーワード「ダイエット」には、要素データの変化傾向「遠ざかる」（乖離）、「横ばい」（不変）、「近づく」（接近）のそれぞれに対して「成功」、「効率」、「継続」が対応付けられている。また、図１９（Ｂ）に示すキーワードデータＤｔ２３の第２行の基本キーワード「ダイエット」には、要素データの変化傾向「継続」（乖離）、「適度」（不変）のそれぞれに対して「成功」、「効率」が対応付けられている。
【００９６】
このように、基本キーワードと傾向別追加キーワードのセットとして、対応する要素データの目標値に対する変化傾向に応じた基本キーワードが表す事物の変化傾向を表す語句、その要素データの変化傾向に応じた健康の維持、増進に関する語句が用いられることがある。また、基本キーワードと傾向別追加キーワードのセットは、対応する要素データの目標値に対する変化傾向に関連する話題や要素データの変化傾向に応じた健康の維持、増進に関する語句、又はそれらの話題に多く含まれる語句であってもよい。
【００９７】
なお、図１９（Ａ）の基本キーワード「体重」に対応する傾向別追加キーワードには、変化傾向「遠ざかる」（乖離）、「横ばい」（不変）、「近づく」（接近）のいずれについても「減らす」が定められている。これは、要素データ「体重」が目標値に達していない場合には、その変化傾向がいかなるものであっても「減らす」ことが望ましいためである。このように、要素データの種別によっては、要素データが目標値に達していない場合、変化傾向がいかなるものであっても共通の傾向別追加キーワードが用いられることがある。
言い換えれば、要素データの値が目標値に達していない場合に用いられるキーワードデータＤｔ２２には、傾向別キーワードとして要素データの値が目標値に達するように促す語句が含められる。このことにより、要素データの値が目標値に達するために有用なテキスト情報が検索される可能性が高くなり、無関係もしくは関連性が低い情報が検索される可能性が低くなる。他方、要素データの値が目標値に達した場合に用いられるキーワードデータＤｔ２３には、傾向別キーワードとして要素データの値が目標値を維持するように促す語句が含められる。このことにより、要素データの値が目標値を維持するために有用な概要情報が検索される可能性が高くなり、無関係もしくは関連性が低い情報が検索される可能性が低くなる。
【００９８】
ここで、ユーザデータ解析部１１２Ｂから入力された要素データ情報が「体重」を示す場合を例にして、キーワード決定部１１３Ｂの処理について説明する。また、キーワード決定部１１３Ｂに入力される要素データ変化情報は、要素データ「体重」が目標値に達していない、かつ、「体重」の目標値に対する変化傾向が「接近」を示している場合を仮定する。
【００９９】
キーワード決定部１１３Ｂは、要素データ変化情報は、要素データ「体重」が目標値に達していないことに応じて、キーワードデータＤｔ２２を用いると判定する。
キーワード決定部１１３Ｂは、キーワードデータＤｔ２２を参照して、要素データ情報「体重」に対応する基本キーワード「体重」、「代謝」、及び「ダイエット」を読み取る。
そして、キーワード決定部１１３Ｂは、基本キーワード「体重」、「代謝」、及び「ダイエット」のそれぞれと要素データ変化情報が示す変化傾向「近づく」（接近）に対応する傾向別追加キーワード「減らす」、「維持」及び「継続」を読み取る。
【０１００】
キーワード決定部１１３Ｂは、読み取った基本キーワード「体重」、「代謝」、及び「ダイエット」のそれぞれと、これに対応する傾向別追加キーワード「減らす」、「維持」及び「継続」のそれぞれとの組であるキーワードセット「体重・減らす」、「代謝・維持」、及び「ダイエット・継続」を形成する。キーワード決定部１１３Ｂは、形成したキーワードセットのそれぞれを示す検索キーワード情報を情報検索部１１５Ａに出力する。
また、キーワード決定部１１３Ｂは、キーワードデータＤｔ２２を参照して、要素データ情報「体重」に対応するカテゴリ情報「美容」、「運動」及び「ダイエット」を読み取り、読み取ったカテゴリ情報「美容」、「運動」及び「ダイエット」を検索カテゴリ情報として情報検索部１１５Ａに出力する。
【０１０１】
そして、情報検索部１１５Ａは、検索キーワード情報が示す各キーワードセット「体重・減らす」等のそれぞれについて（ＯＲ検索）、それぞれを形成する基本キーワード「体重」と傾向別追加キーワード「減らす」とを含み（ＡＮＤ検索）、かつ、検索カテゴリ情報が示すカテゴリ「美容」、「運動」及び「ダイエット」の少なくともいずれかに属する（ＯＲ検索）コーナのテキスト情報の検索を指示する検索要求情報を生成する。従って、各キーワードセットを形成する基本キーワードと対応する傾向別追加キーワードとを含むコーナのテキスト情報のキーワードセット間の和集合が検索され、検索された和集合が、検索カテゴリ情報が示すカテゴリで制限される。
【０１０２】
（データ処理）
次に、本実施形態に係るデータ処理の一例について説明する。
図２０は、本実施形態に係るデータ処理の一例を示すフローチャートである。
本実施形態に係るデータ処理は、ステップＳ１０１、Ｓ１０２、Ｓ１２２Ｂ〜１２６Ｂ、Ｓ１０４、Ｓ１１５Ａ、及びＳ１０６を有する。
本実施形態では、ユーザデータ解析部１１２ＢがステップＳ１０２の処理を実行し、情報検索部１１５ＡがステップＳ１０６の処理を実行する。
【０１０３】
図２０に示すデータ処理では、ステップＳ１０１及びＳ１０２の処理が終了した後、ステップＳ１２２Ｂに進む。
（ステップＳ１２２Ｂ）ユーザデータ解析部１１２Ｂは、受信したユーザデータに含まれている要素データの値の時間経過に応じた目標値に対する変化傾向を解析し、その要素データの値が目標値に接近しているか、目標値との差が不変であるか、又は目標値に接近しているかを判定する。その後、ステップＳ１２３Ｂに進む。
（ステップＳ１２３Ｂ）ユーザデータ解析部１１２Ｂは、要素データの値が目標値に達したか否かを判定する。目標値に達したと判定された場合（ステップＳ１２３Ｂ  ＹＥＳ）、ステップＳ１２４Ｂに進む。目標値に達していないと判定された場合（ステップＳ１２３Ｂ  ＮＯ）、ステップＳ１２５Ｂに進む。
【０１０４】
（ステップＳ１２４Ｂ）キーワード決定部１１３Ｂは、データ記憶部１１８に予め記憶されたキーワードデータ１、２のうちキーワードデータ２を用いると判定する。その後、ステップＳ１２６Ｂに進む。
（ステップＳ１２５Ｂ）キーワード決定部１１３Ｂは、データ記憶部１１８に予め記憶されたキーワードデータ１、２のうちキーワードデータ１を用いると判定する。その後、ステップＳ１２６Ｂに進む。
【０１０５】
（ステップＳ１２６Ｂ）キーワード決定部１１３Ｂは、用いると判定したキーワードデータを参照して、要素データに対応する基本キーワードを定める。また、キーワード決定部１１３Ｂは、その要素データの目標値に対する変化傾向に対応する傾向別追加キーワードを定める。キーワード決定部１１３Ｂは、定めた基本キーワードと追加キーワードとのキーワードセットを形成する。また、キーワード決定部１１３Ｂは、要素データに対応するカテゴリを定める。その後、ステップＳ１０４に進む。ステップＳ１０４、Ｓ１１５Ａ、及びＳ１０６の処理が終了した後、図２０に示す処理が終了する。
【０１０６】
以上に説明したように、本実施形態に係るデータ処理装置１１Ｂにおいて、状態情報取得部（例えば、ユーザデータ解析部１１２Ｂ）は状態情報の目標値を取得する。また、データ処理装置１１Ｂは、状態情報と状態情報取得部が取得した状態情報の目標値との関係を解析する状態解析部（例えば、ユーザデータ解析部１１２Ｂ）を備える。また、データ処理装置１１Ｂにおいて、キーワード記憶部（例えば、データ記憶部１１８）が記憶するキーワードデータは、状態情報と当該状態情報の目標値との関係に対応する第２のキーワードを含む。また、データ処理装置１１Ｂにおいて、キーワード決定部（例えば、キーワード決定部１１３Ｂ）は、状態解析部が解析した関係に対応する第２のキーワードを更に選択する。
【０１０７】
この構成により、端末装置２１から受信した状態情報が示す身体の状態に関する語句とその目標値との関係に関する語句とをキーワードとして含むテキスト情報が検索される。検索されたテキスト情報として、ユーザの身体の状態とその目標値との関係に適合したテキスト情報が取得され、ユーザの身体の状態の目標値との関係との関連性が低いテキスト情報が排除される。そのため、身体の状態の目標値との関係に応じた所望の健康に関する情報を得られる可能性を向上させることができる。例えば、ユーザは、目標値に接近させることに役立つ情報をより容易に得ることができる。
【０１０８】
（変形例）
以上、実施形態について説明してきたが、具体的な構成は上述のものに限られることはなく、この発明の要旨を逸脱しない範囲内において様々な設計変更等をすることが可能である。
【０１０９】
上述した実施形態では、データ処理装置１１、１１Ａ、１１Ｂが、主に１日間隔で端末装置２１に、その前日に放送された番組に関するテキスト情報を所定の時刻（例えば、１０時）送信する場合を例にしたが、これには限られない。データ処理装置１１、１１Ａ、１１Ｂは、１日２回以上テキスト情報を送信してもよい。データ処理装置１１、１１Ａ、１１Ｂは、例えば、毎日１０時に前日の１７時から当日の９時までに放送された番組に関するテキスト情報を送信し、毎日１７時に当日の９時から１６時までに放送された番組に関するテキスト情報を送信してもよい。
【０１１０】
また、ユーザデータ解析部１１２、１１２Ａ、１１２Ｂは、端末装置２１から要求信号を受信したとき、ユーザデータベースサーバ１２から新たに記憶されたユーザデータとユーザ登録データとを読み取り、上述したデータ処理（図１０、１６、２０）を実行してよい。端末装置２１は、ユーザの操作に応じて要求信号を送信する都度、データ処理装置１１、１１Ａ、１１Ｂからテキスト情報を受信する（オンデマンド送信）。
【０１１１】
また、ユーザデータベースサーバ１２は、端末装置２１からユーザデータを受信する毎に、新たに受信したユーザデータとユーザデータをデータ処理装置１１、１１Ａ、１１Ｂに送信してもよい。この場合、データ処理装置１１、１１Ａ、１１Ｂは、ユーザデータベースサーバ１２から受信したユーザデータとユーザデータについて上述したデータ処理（図１０、１６、２０）を実行してもよい。端末装置２１は、ユーザデータを送信する都度、データ処理装置１１、１１Ａ、１１Ｂからテキスト情報を受信する（逐次送信）。
【０１１２】
端末装置２１は、上述したユーザの身体の状態を示す指標を計測する計測部を備えてもよい。これにより、端末装置２１と計測装置２２は、１個の端末装置として一体に構成される。また、端末装置２１、計測装置２２、及び受信装置２３が、１個の端末装置として一体に構成されてもよい。
上述した説明では端末装置２１が、表示部２１４を備える場合を例にとったが、これには限られない。表示部２１４は、端末装置２１と別体であってもよい。また、端末装置２１は、表示部２１４に代え、又は表示部２１４とともに報音部（例えば、スピーカ）を備えてもよい。その場合には、情報出力部２１７は、テキスト情報について音声合成処理を行って音声信号を生成し、生成した音声信号を報音部に出力する。
【０１１３】
計測装置２２は、端末装置２１と別体で構成されている場合には、自機で生成した計測データを、端末装置２１を介さずにユーザデータベースサーバ１２に直接送信してもよい。その場合には、端末装置２１は、計測装置２２からの計測データの受信、ユーザデータベースサーバ１２への計測データの送信を省略することができる。
受信装置２３は、ネットワーク４１を介して番組データを受信してもよい。また、端末装置２１がテレビジョン受信装置である場合、又はテレビジョン放送の番組データを受信及び表示する機能を有する場合には、受信装置２３と同様に視聴データを生成し、生成した視聴データを視聴ログデータベースサーバ１４に送信してもよい。
【０１１４】
上述した実施形態では、ユーザデータならびにユーザ登録データを記憶するユーザデータベースサーバ１２、番組情報を記憶する番組情報データベースサーバ１３、及び視聴データを記憶する視聴ログデータベースサーバ１４が、それぞれ独立したサーバ装置である場合を例にしたが、これには限られない。ユーザデータベースサーバ１２、番組情報データベースサーバ１３、及び視聴ログデータベースサーバ１４のうちの２つ、又は全部が一体化された装置として構成されてもよい。また、データ処理装置１１、１１Ａ、１１Ｂのデータ記憶部１１８が、ユーザデータならびにユーザ登録データ、番組情報、視聴データのいずれか、それらの任意の組み合わせ、又は全てを記憶してもよい。これにより、データ記憶部１１８に記憶したデータに係るサーバ装置が、データ処理装置１１、１１Ａ、１１Ｂと一体化される。例えば、データ記憶部１１８に視聴データが記憶される場合には、視聴データに係る視聴ログデータベースサーバ１４がデータ処理装置１１、１１Ａ、１１Ｂに一体化され、別個のサーバ装置としての視聴ログデータベースサーバ１４が省略可能である。
【０１１５】
データ処理装置１１、１１Ａ、１１Ｂの情報検索部１１５、１１５Ａは、キーワード決定部１１３、１１３Ａ、１１３Ｂで定めたキーワードに基づいてあいまい検索を行ってもよい。あいまい検索には、例えば、類義語検索、連想語検索がある。類義語検索、連想語検索を行う場合には、データ記憶部１１８に予め類義語データ、連想語データを記憶しておく。類義語データは、各１つの語句に意味上類似している他の語句（類義語）が対応付けられたデータである。連想語データは、各１つの語句に、その語句から連想される事物、概念を表す他の語句（連想語）が対応付けられたデータである。そこで、キーワード決定部１１３、１１３Ａ、１１３Ｂは、類義語データ、連想語データを参照し、上述した実施形態で定めたキーワードに対応する類義語、連想語を特定し、特定した類義語、連想語を検索キーワードに含める。キーワード決定部１１３Ａ、１１３Ｂは、類義語、連想語の特定を、基本キーワード、傾向別追加キーワードのそれぞれについて行う。
また、データ処理装置１１、１１Ａ、１１Ｂのデータ記憶部１１８には、予め禁止語句を示す禁止語句データを記憶しておいてもよい。その場合、キーワード決定部１１３、１１３Ａ、１１３Ｂは、禁止語句データを参照して、上述した実施形態で定めたキーワードに含まれる禁止語句を特定し、検索キーワードから特定した禁止語句を除外する。
【０１１６】
データ処理装置１１Ａ、１１Ｂの情報検索部１１５Ａは、各キーワードセットを用いたテキスト情報の検索において番組情報データベースサーバ１３に近接演算を指示してもよい。例えば、情報検索部１１５Ａは、基本キーワードと傾向別追加キーワードとの間隔が所定の間隔の閾値（例えば、５単語、１文、等）以内という制限を課してもよい。これにより、基本キーワードと傾向別追加キーワードとが近接することにより、基本キーワードと傾向別追加キーワードとの間で意味上の関係がある文を含むテキスト情報が検索される。そのため、基本キーワードと傾向別追加キーワードとの意味上の関係がない文を含んだテキスト情報を減少又は排除することができる。
【０１１７】
また、データ処理装置１１Ａ、１１Ｂの情報検索部１１５Ａは、各キーワードセットを用いたテキスト情報の検索について、基本キーワードと傾向別追加キーワードの順序が所定の順序（例えば、基本キーワードが傾向別追加キーワードよりも先行）であるという制限を課してもよい。これにより、所定の順序で用いられることにより所定の意味や因果関係を生じる基本キーワードと傾向別追加キーワードを含むテキスト情報が検索される。そのため、所定の基本キーワードと傾向別追加キーワードを含んでいても、所定の意味や因果関係を有しないテキスト情報を減少又は排除することができる。
【０１１８】
なお、データ処理装置１１、１１Ａ、１１Ｂの情報検索部１１５、１１５Ａは、放送された地域による制限を課さずに番組情報データベースサーバ１３にテキスト情報の検索を指示してもよい。これにより、地域情報に基づく情報の絞り込みが省略される。その場合には、番組特定部１１４は省略可能である。
【０１１９】
データ処理装置１１、１１Ａ、１１Ｂの情報検索部１１５、１１５Ａは、検索されたテキスト情報の件数が、所定範囲内（例えば、２０件以下）となるように、検索範囲の制限の有無、検索範囲を調整してもよい。検索範囲の制限には、近接演算の実行、基本キーワードと傾向別追加キーワードの順序による制限、放送された地域の制限、がある。検索範囲の調整には、上述したあいまい検索の実行の有無、検索対象の放送時間の範囲の調整、放送番組のカテゴリの調整がある。そして、情報検索部１１５、１１５Ａは、件数が調整されたテキスト情報を端末装置２１に送信する。
【０１２０】
テキスト情報には１コーナ当たりの分量が所定の情報量（例えば、全角２００文字）を超える場合がありうる。その場合、データ処理装置１１、１１Ａ、１１Ｂの情報検索部１１５、１１５Ａは、そのテキスト情報について圧縮処理（要約）を行ってもよい。また、受信したテキスト情報に一部の語句や構造が共通した複数の文が含まれる場合には、情報検索部１１５、１１５Ａは、その複数の文について結合処理を行ってもよい。
【０１２１】
番組情報データベースサーバ１３には、番組情報と対応付けて番組データが記憶されてもよい。番組データは、放送された映像や音声のデータである。その場合には、データ処理装置１１、１１Ａ、１１Ｂの情報検索部１１５、１１５Ａは、番組情報データベースサーバ１３にテキスト情報と対応するコーナの番組データの検索を指示してもよい。情報検索部１１５、１１５Ａは、番組情報データベースサーバ１３からテキスト情報に対応する番組データを受信し、受信した番組データを端末装置２１に送信してもよい。これにより、端末装置２１のユーザは、取得したテキスト情報に対応したコーナを視聴することができる。
【０１２２】
なお、上述した実施形態では、コンテンツがコーナを単位として区分された放送番組である場合を例にしたが、これには限られない。コンテンツは、所定の時間帯で区分されたコンテンツであってもよい。また、コンテンツは、ネットワーク４１に接続された機器から送信可能にされた映像、音声、テキスト等を含むコンテンツであってもよい。
【０１２３】
なお、上述した実施形態ならびに変形例のいずれかの組み合わせ又はすべては、任意に組み合わされて実施されてもよい。例えば、第２の実施形態に係るデータ処理装置１１Ｂにおいて、ユーザデータ解析部１１２Ｂは、目標値が定められていない要素データについて、ユーザデータ解析部１１２Ａと同様に、その変化傾向を解析してもよい。キーワード決定部１１３Ｂは、キーワード決定部１１３Ａと同様に、キーワードデータＤｔ１１を参照して解析した変化傾向に基づいて基本キーワード、傾向別追加キーワードを特定してもよい。
【０１２４】
上述したデータ処理装置１１、１１Ａ、１１Ｂの一部又は全部、例えば、ユーザデータ解析部１１２、１１２Ａ、１１２Ｂ、キーワード決定部１１３、１１３Ａ、１１３Ｂ、番組特定部１１４、情報検索部１１５、１１５Ａ、端末装置２１の一部、例えば、ユーザデータ処理部２１６、情報出力部２１７を、それぞれコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、データ処理装置１１、１１Ａ、１１Ｂ、端末装置２１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、本実施形態は、上述した実施形態におけるデータ処理装置１１、１１Ａ、１１Ｂ、端末装置２１の一部、または全部を、ＬＳＩ（Ｌａｒｇｅ  Ｓｃａｌｅ  Ｉｎｔｅｇｒａｔｉｏｎ）等の集積回路として実現してもよい。データ処理装置１１、１１Ａ、１１Ｂ、端末装置２１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１２５】
１、１Ａ、１Ｂ…データ処理システム
１１、１１Ａ、１１Ｂ…データ処理装置、
１１１…通信部、１１２、１１２Ａ、１１２Ｂ…ユーザデータ解析部、
１１３、１１３Ａ、１１３Ｂ…キーワード決定部、
１１４…番組特定部、１１５、１１５Ａ…情報検索部、１１８…データ記憶部、
１２…ユーザデータベースサーバ、１３…番組情報データベースサーバ、
１４…視聴ログデータベースサーバ、
２１…端末装置、２１１…ユーザデータ入力部、２１２…計測データ入力部、
２１３…操作データ入力部、２１４…表示部、２１５…通信部、
２１６…ユーザデータ処理部、２１７…情報出力部、２１８…データ記憶部、
２２…計測装置、２３…受信装置、４１…ネットワーク
【図１】
2015197840.tif 000003
【図２】
2015197840.tif 000004
【図３】
2015197840.tif 000005
【図４】
2015197840.tif 000006
【図５】
2015197840.tif 000007
【図６】
2015197840.tif 000008
【図７】
2015197840.tif 000009
【図８】
2015197840.tif 000010
【図９】
2015197840.tif 000011
【図１０】
2015197840.tif 000012
【図１１】
2015197840.tif 000013
【図１２】
2015197840.tif 000014
【図１３】
2015197840.tif 000015
【図１４】
2015197840.tif 000016
【図１５】
2015197840.tif 000017
【図１６】
2015197840.tif 000018
【図１７】
2015197840.tif 000019
【図１８】
2015197840.tif 000020
【図１９】
2015197840.tif 000021
【図２０】
2015197840.tif 000022
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
身体の状態を示す状態情報を取得する状態情報取得部と、
放送されたコンテンツに関する情報を記憶するコンテンツ情報記憶部から、前記状態情報取得部が取得した前記状態情報に対応する前記放送されたコンテンツに関する情報を検索する情報検索部と、
前記情報検索部が検索した前記放送されたコンテンツに関する情報を出力する出力部と、
を備えるデータ処理装置。
【請求項２】
身体の状態を示す状態情報に関するキーワードを含むキーワードデータを記憶するキーワード記憶部と、
前記状態情報取得部が取得した前記状態情報に対応するキーワードを、前記キーワード記憶部に記憶された前記キーワードデータより決定するキーワード決定部と、を備え、
前記情報検索部は、前記キーワード決定部が決定した前記キーワードに基づいて、前記コンテンツ情報記憶部から、前記状態情報に対応する前記放送されたコンテンツに関する情報を検索する、請求項１に記載のデータ処理装置。
【請求項３】
前記放送されたコンテンツに関する情報は、放送番組に関する情報である、請求項１又は請求項２に記載のデータ処理装置。
【請求項４】
前記出力部が出力する情報は、前記放送番組に関する情報の一部である、請求項３に記載のデータ処理装置。
【請求項５】
前記状態情報取得部は、第１の身体の状態を示す第１状態情報と、第２の身体の状態を示す第２状態情報とを取得し、
前記情報検索部は、前記第１状態情報に対応する前記放送されたコンテンツに関する情報と第２状態情報に対応する前記放送されたコンテンツに関する情報とを検索する、請求項１に記載のデータ処理装置。
【請求項６】
前記状態情報取得部は、前記状態情報の目標値を端末装置から取得し、
前記状態情報取得部が取得した状態情報と当該状態情報の前記目標値との関係を解析する状態解析部を備え、
前記情報検索部は、前記状態解析部が解析した前記関係に対応する前記放送されたコンテンツに関する情報を検索する、請求項１又は請求項５に記載のデータ処理装置。
【請求項７】
身体の状態を示す状態情報を入力する端末装置とデータ処理装置とを備えるデータ処理システムであって、
前記データ処理装置は、
前記端末装置が送信した状態情報を取得する状態情報取得部と、
放送されたコンテンツに関する情報を記憶するコンテンツ情報記憶部から、前記状態情報取得部が取得した前記状態情報に対応する前記放送されたコンテンツに関する情報を検索する情報検索部と、
前記情報検索部が検索した前記放送されたコンテンツに関する情報を出力する出力部と、
を備えるデータ処理システム。
【請求項８】
身体の状態を示す状態情報を取得する状態情報入力部と、
前記状態情報を送信し、かつ、前記状態情報に対応する放送されたコンテンツに関する情報を受信する通信部と、
前記通信部が受信した前記放送されたコンテンツに関する情報を出力する情報出力部と、
を備える端末装置。
【請求項９】
前記状態情報の少なくとも一部を計測する状態情報計測部を備える請求項８に記載の端末装置。
【請求項１０】
データ処理装置におけるデータ処理方法において、
身体の状態を示す状態情報を取得する状態情報取得過程と、
放送されたコンテンツに関する情報を記憶するコンテンツ情報記憶部から、前記状態情報取得過程で取得した前記状態情報に対応する前記放送されたコンテンツに関する情報を検索する情報検索過程と、
前記情報検索過程で検索した前記放送されたコンテンツに関する情報を出力する出力過程と、
を備えるデータ処理方法。
【請求項１１】
端末装置のコンピュータに、
身体の状態を示す状態情報を入力する状態情報入力手順、
前記状態情報入力手順で入力した前記状態情報を送信し、前記状態情報に対応する放送されたコンテンツに関する情報を受信する通信手順、
前記通信手順で受信した前記放送されたコンテンツに関する情報を出力する情報出力手順、
を実行させるためのデータ処理プログラム。
【手続補正２】
【補正対象書類名】明細書
【補正対象項目名】０００６
【補正方法】変更
【補正の内容】
【０００６】
（１）本発明は上記の課題を解決するためになされたものであり、本発明の一態様は、身体の状態を示す状態情報を取得する状態情報取得部と、放送されたコンテンツに関する情報を記憶するコンテンツ情報記憶部から、前記状態情報取得部が取得した前記状態情報に対応する前記放送されたコンテンツに関する情報を検索する情報検索部と、前記情報検索部が検索した前記放送されたコンテンツに関する情報を出力する出力部と、を備えるデータ処理装置である。
【手続補正３】
【補正対象書類名】明細書
【補正対象項目名】０００７
【補正方法】変更
【補正の内容】
【０００７】
（２）本発明の他の態様は、（１）のデータ処理装置であって、身体の状態を示す状態情報に関するキーワードを含むキーワードデータを記憶するキーワード記憶部と、前記状態情報取得部が取得した前記状態情報に対応するキーワードを、前記キーワード記憶部に記憶された前記キーワードデータより決定するキーワード決定部と、を備え、前記情報検索部は、前記キーワード決定部が決定した前記キーワードに基づいて、前記コンテンツ情報記憶部から、前記状態情報に対応する前記放送されたコンテンツに関する情報を検索する。
【手続補正４】
【補正対象書類名】明細書
【補正対象項目名】００１０
【補正方法】変更
【補正の内容】
【００１０】
（５）本発明の他の態様は、（１）のデータ処理装置であって、前記状態情報取得部は、第１の身体の状態を示す第１状態情報と、第２の身体の状態を示す第２状態情報とを取得し、前記情報検索部は、前記第１状態情報に対応する前記放送されたコンテンツに関する情報と第２状態情報に対応する前記放送されたコンテンツに関する情報とを検索する。
【手続補正５】
【補正対象書類名】明細書
【補正対象項目名】００１１
【補正方法】変更
【補正の内容】
【００１１】
（６）本発明の他の態様は、（１）又は（５）のデータ処理装置であって、前記状態情報取得部は、前記状態情報の目標値を端末装置から取得し、前記状態情報取得部が取得した状態情報と当該状態情報の前記目標値との関係を解析する状態解析部を備え、前記情報検索部は、前記状態解析部が解析した前記関係に対応する前記放送されたコンテンツに関する情報を検索する。
【手続補正６】
【補正対象書類名】明細書
【補正対象項目名】００１２
【補正方法】変更
【補正の内容】
【００１２】
（７）本発明の他の態様は、身体の状態を示す状態情報を入力する端末装置とデータ処理装置とを備えるデータ処理システムであって、前記データ処理装置は、前記端末装置が送信した状態情報を取得する状態情報取得部と、放送されたコンテンツに関する情報を記憶するコンテンツ情報記憶部から、前記状態情報取得部が取得した前記状態情報に対応する前記放送されたコンテンツに関する情報を検索する情報検索部と、前記情報検索部が検索した前記放送されたコンテンツに関する情報を出力する出力部と、を備えるデータ処理システムである。
【手続補正７】
【補正対象書類名】明細書
【補正対象項目名】００１３
【補正方法】変更
【補正の内容】
【００１３】
（８）本発明の他の態様は、身体の状態を示す状態情報を取得する状態情報入力部と、前記状態情報を送信し、かつ、前記状態情報に対応する放送されたコンテンツに関する情報を受信する通信部と、前記通信部が受信した前記放送されたコンテンツに関する情報を出力する情報出力部と、を備える端末装置である。
【手続補正８】
【補正対象書類名】明細書
【補正対象項目名】００１５
【補正方法】変更
【補正の内容】
【００１５】
（１０）本発明の他の態様は、データ処理装置におけるデータ処理方法において、身体の状態を示す状態情報を取得する状態情報取得過程と、放送されたコンテンツに関する情報を記憶するコンテンツ情報記憶部から、前記状態情報取得過程で取得した前記状態情報に対応する前記放送されたコンテンツに関する情報を検索する情報検索過程と、前記情報検索過程で検索した前記放送されたコンテンツに関する情報を出力する出力過程と、を備えるデータ処理方法である。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
（１１）本発明の他の態様は、端末装置のコンピュータに、身体の状態を示す状態情報を入力する状態情報入力手順、前記状態情報入力手順で入力した前記状態情報を送信し、前記状態情報に対応する放送されたコンテンツに関する情報を受信する通信手順、前記通信手順で受信した前記放送されたコンテンツに関する情報を出力する情報出力手順、を実行させるためのデータ処理プログラムである。